(57)【要約】【課題】音声再生のチャンネル数が変更可能であり、良好な音質で音声再生を行うことが可能な音声信号再生装置を得ること。【解決手段】音声信号取得手段が、音声を記録した媒体等から音声を表す音声信号を取得し、切り替え制御手段による制御により音声信号入力切り替え手段がそれぞれの音声信号増幅手段に入力する音声信号の切り替えを、一対の音声信号増幅手段毎に行う。そして、音声信号増幅手段が、入力された音声信号を所定の増幅率で増幅する。【選択図】        図１
2006209890.tif 000002
【特許請求の範囲】
【請求項１】
音声を表す音声信号を取得する音声信号取得手段と、
前記音声信号取得手段で得られた音声信号を増幅率を変化させて増幅可能とされ、左音声信号用と右音声信号用とが一対とされた複数の音声信号増幅手段と、
前記音声信号増幅手段における前記増幅率を制御する増幅率制御手段と、
前記音声信号増幅手段に入力する前記音声信号の切り替えを、前記一対の音声信号増幅手段毎に行う音声信号入力切り替え手段と、
前記音声信号を再生するチャンネル数を設定したチャンネル数情報に基づいて、前記音声信号入力切り替え手段の制御を行う切り替え制御手段と、
を備えることを特徴とする音声信号再生装置。
【請求項２】
前記チャンネル数情報を設定して保持するチャンネル数情報設定手段を備え、
前記音声信号入力切り替え手段が、前記チャンネル数情報設定手段に保持された前記チャンネル数情報に基づいて、前記音声信号増幅手段に入力する前記音声信号の切り替えを行うこと
を特徴とする請求項１に記載の音声信号再生装置。
【請求項３】
前記音声信号が記録された記録媒体に予め設定された前記チャンネル数情報を検出するチャンネル数検出手段を備え、
前記音声信号入力切り替え手段が、前記チャンネル数検出手段で検出された前記チャンネル数情報に基づいて、前記音声信号増幅手段に入力する前記音声信号の切り替えを行うこと
を特徴とする請求項１に記載の音声信号再生装置。
【請求項４】
前記音声信号増幅手段として、
左音声用フロントスピーカと右音声用フロントスピーカと左音声用リアスピーカと右音声用リアスピーカとを備えた４チャンネルスピーカシステムに対応した左音声用フロントスピーカ用アンプと右音声用フロントスピーカ用アンプと左音声用リアスピーカ用アンプと右音声用リアスピーカ用アンプとを備え、
前記チャンネル数情報に基づいて前記左音声用フロントスピーカ用アンプと前記左音声用リアスピーカ用アンプとを用いて前記左音声用フロントスピーカに出力する前記音声信号を２段階で増幅し、
前記右音声用フロントスピーカ用アンプと前記右音声用リアスピーカ用アンプとを用いて前記右音声用フロントスピーカに出力する前記音声信号を２段階で増幅すること
を特徴とする請求項１に記載の音声信号再生装置。
【請求項５】
音声信号を取得する音声信号取得手段と、
前記音声信号取得手段で得られた音声信号を増幅する複数の音声信号増幅手段と、
前記複数の音声信号増幅手段の各々に対応し、その各々にて増幅された音声信号を出力する複数の音声信号出力手段と、
前記音声増幅手段における前記増幅率を制御する増幅率制御手段と、
前記音声信号増幅手段に対する前記音声信号の入力経路を切り替える音声信号入力切り替え手段と、
前記音声信号を出力するチャネル数を設定したチャンネル数情報に応じて、一の前記音声信号出力手段に対応する前記音声信号増幅手段を１又は２以上とするように前記音声信号入力切り替え手段を制御する制御手段と、
を備えることを特徴とする音声信号出力装置。
【請求項６】
前記増幅率制御手段は、前記一の音声信号出力手段に対応する音声信号増幅手段が２以上である場合に、その複数の音声信号増幅手段における増幅率を互いに異ならせることを特徴とする請求項５に記載の音声信号出力装置。
【請求項７】
音声信号を取得する工程と、
前記音声信号を出力するチャンネル数を判断する工程と、
入力される前記音声信号を増幅する工程と、
前記チャンネル数に応じて、前記音声信号を１段階または２段階で増幅すべくその入力経路を切り替える工程と、
前記入力経路の切り替えに応じて、１段階または２段階で増幅された音声信号を出力する工程と、
を含むことを特徴とする音声信号出力方法。
【発明の詳細な説明】
【技術分野】
【０００１】
本発明は、たとえば磁気記録媒体や光記録媒体などの記録媒体に記録された音声データ等の情報信号を再生する音声信号再生装置、音声信号出力装置および音声信号出力方法に関するものである。
【背景技術】
【０００２】
従来、音楽などの音声データを再生するシステムとして、ホームオーディオシステムやカーオーディオシステムなど、種々のオーディオシステムが使用されている。このようなオーディオシステムにおいては、使用者の好みの音楽再生を行うための技術開発が続けられている。たとえば、ホームオーディオシステムホームシアターシステムにおける技術としては、再生信号に含まれる音声データの信号形式を示す信号形式情報を検出する信号形式検出手段と、この信号形式検出手段により検出された信号形式情報に基づいて音声データの種類を推測する推測手段と、推測手段からの推測結果に基づいて音声データに適した出力制御を行う出力制御手段とを備える情報信号再生装置を用いたシステムがある（たとえば、特許文献１参照）。この技術によれば、再生しようとする音声データなどの信号形式や記録媒体などの違いに左右されることなく良好な再生環境が提供される。
【０００３】
【特許文献１】特開２００１−２５０３３３号公報
【発明の開示】
【発明が解決しようとする課題】
【０００４】
ところで、車の中で音楽を聴くためのオーディオシステムであるカーオーディオシステムにおいては、たとえばＣＤ再生装置やＭＤ再生装置などの音声信号再生装置と、左音声用フロントスピーカと右音声用フロントスピーカと左音声用リアスピーカと右音声用リアスピーカとを備えた４チャンネルスピーカシステムが主流となっている。
【０００５】
しかしながら、使用者の音楽再生環境の好みは様々であり、使用者によってはリアスピーカ、すなわち右音声用フロントスピーカと左音声用リアスピーカと右音声用リアスピーカとから音声を出することを好まない場合がある。この場合には、リアスピーカから音声を出さずにフロントスピーカのみから音声を出して聴くことになる。
【０００６】
この場合、ＣＤ再生装置などの音声信号再生装置には、各スピーカに対応する内蔵アンプ、すなわち出力する音声信号をスピーカ毎に増幅するための個別の内蔵アンプを備えているが、フロントスピーカのみから音声を出して聴く場合には、リアスピーカ用の内蔵アンプが未使用とされており、有効に活用されていない。また、近年では、車の遮音性の技術が高まり、車内も音楽を聴くための重要なスペースとして位置づけられており、より音質の良い音楽再生が求められている。
【０００７】
本発明は、上記に鑑みてなされたものであって、音声再生のチャンネル数が変更可能であり、良好な音質で音声再生を行うことが可能な音声信号再生装置、音声信号出力装置および音声信号出力方法を得ることを目的とする。
【課題を解決するための手段】
【０００８】
請求項１に記載の発明は、音声を表す音声信号を取得する音声信号取得手段と、音声信号取得手段で得られた音声信号を増幅率を変化させて増幅可能とされ、左音声信号用と右音声信号用とが一対とされた複数の音声信号増幅手段と、音声信号増幅手段における増幅率を制御する増幅率制御手段と、音声信号増幅手段に入力する音声信号の切り替えを、一対の音声信号増幅手段毎に行う音声信号入力切り替え手段と、音声信号を再生するチャンネル数を設定したチャンネル数情報に基づいて、音声信号入力切り替え手段の制御を行う切り替え制御手段と、を備えることを特徴とする。
【０００９】
また、請求項５に記載の発明は、音声信号を取得する音声信号取得手段と、音声信号取得手段で得られた音声信号を増幅する複数の音声信号増幅手段と、複数の音声信号増幅手段の各々に対応し、その各々にて増幅された音声信号を出力する複数の音声信号出力手段と、音声増幅手段における増幅率を制御する増幅率制御手段と、音声信号増幅手段に対する音声信号の入力経路を切り替える音声信号入力切り替え手段と、音声信号を出力するチャネル数を設定したチャンネル数情報に応じて、一の音声信号出力手段に対応する音声信号増幅手段を１又は２以上とするように音声信号入力切り替え手段を制御する制御手段と、を備えることを特徴とする。
【００１０】
また、請求項７に記載の発明は、音声信号を取得する工程と、音声信号を出力するチャンネル数を判断する工程と、入力される音声信号を増幅する工程と、チャンネル数に応じて、音声信号を１段階または２段階で増幅すべくその入力経路を切り替える工程と、入力経路の切り替えに応じて、１段階または２段階で増幅された音声信号を出力する工程と、を含むことを特徴とする。
【発明を実施するための最良の形態】
【００１１】
以下に、本発明にかかる音声信号再生装置および音声信号出力装置について説明する。なお、本発明は以下の記述に限定されるものではなく、本発明の要旨を逸脱しない範囲において適宜変更可能である。
【００１２】
[実施の形態]
本発明にかかる音声信号再生装置は、音声信号取得手段と、音声信号増幅手段と、増幅率制御手段と、音声信号入力切り替え手段と、切り替え制御手段と、を備えて構成される。音声信号取得手段は、音声を記録した媒体等から音声を表す音声信号を取得する。音声信号増幅手段は、音声信号取得手段で得られた音声信号を増幅率を変化させて増幅可能とされた増幅手段であり、左音声信号用と右音声信号用とが一対とされて複数備えられる。増幅率制御手段は、音声信号増幅手段における増幅率を制御する。音声信号入力切り替え手段は、それぞれの音声信号増幅手段に入力する音声信号の切り替えを、一対の音声信号増幅手段毎に行う。切り替え制御手段は、音声信号を再生するチャンネル数を設定したチャンネル数情報に基づいて、音声信号入力切り替え手段の制御を行う。
【００１３】
以上のように構成された本発明にかかる音声信号再生装置は、まず、音声信号取得手段が、音声を記録した媒体等から音声を表す音声信号を取得する。つぎに、切り替え制御手段による制御により、音声信号入力切り替え手段が、それぞれの音声信号増幅手段に入力する音声信号の切り替えを、一対の音声信号増幅手段毎に行う。ここで、切り替え制御手段による制御は、音声信号を再生するチャンネル数を設定したチャンネル数情報に基づいて行われる。つぎに、音声信号増幅手段が、入力された音声信号を所定の増幅率で増幅する。ここで、増幅率は、増幅率制御手段により制御される。
【００１４】
このような音声信号再生装置においては、音声信号増幅手段への音声信号の入力を制御することができるため、各音声信号増幅手段が増幅する対象となる音声信号を適宜変更することが可能であり、各音声信号増幅手段を有効に活用することが可能である。したがって、本発明にかかる音声信号再生装置においては、音声再生のチャンネル数が変更可能であり、良好な音質で音声再生を行うことが可能な音声信号再生装置が得られる。
【００１５】
また、本発明にかかる音声信号出力装置は、音声信号取得手段と、音声信号増幅手段と、音声信号出力手段と、増幅率制御手段と、音声信号入力切り替え手段と、制御手段と、を備えて構成される。音声信号取得手段は、音声信号を取得する。音声信号増幅手段は、音声信号取得手段で得られた音声信号を増幅し、複数設けられる。音声信号出力手段は、複数の音声信号増幅手段の各々に対応し、その各々にて増幅された音声信号を出力し、複数設けられる。増幅率制御手段は、音声増幅手段における増幅率を制御する。音声信号入力切り替え手段は、音声信号増幅手段に対する音声信号の入力経路を切り替える。制御手段は、音声信号を出力するチャネル数を設定したチャンネル数情報に応じて、一の音声信号出力手段に対応する音声信号増幅手段を１又は２以上とするように音声信号入力切り替え手段を制御する。
【００１６】
このような音声信号出力装置においては、一の音声信号出力手段に対応する音声信号増幅手段を１又は２以上とするように音声信号入力切り替え手段を制御することができるため、各音声信号増幅手段が増幅する対象となる音声信号を適宜変更することが可能であり、各音声信号増幅手段を有効に活用することが可能である。したがって、本発明にかかる音声信号出力装置においては、音声出力のチャンネル数が変更可能であり、良好な音質で音声出力を行うことが可能である。
【００１７】
また、本発明にかかる音声信号出力方法は、音声信号を取得する工程と、音声信号を出力するチャンネル数を判断する工程と、入力される音声信号を増幅する工程と、チャンネル数に応じて、音声信号を１段階または２段階で増幅すべくその入力経路を切り替える工程と、入力経路の切り替えに応じて、１段階または２段階で増幅された音声信号を出力する工程と、を含む。
【００１８】
このような音声信号出力方法においては、チャンネル数に応じて音声信号を１段階または２段階で増幅すべくその入力経路を切り替えることができるため、増幅する対象となる音声信号を適宜変更することが可能であり、音声信号を効果的に増幅可能である。したがって、本発明にかかる音声信号出力方法においては、音声出力のチャンネル数が変更可能であり、音声信号を効果的に増幅して良好な音質で音声出力を行うことが可能である。
【００１９】
[実施例]
以下に、本発明にかかる音声信号再生装置を用いたオーディオシステムの一例であるカーオーディオシステムの実施の形態を図面に基づいて詳細に説明する。なお、本発明は以下の記述に限定されるものではなく、本発明の要旨を逸脱しない範囲において適宜変更可能である。
【００２０】
図１は、本実施例にかかるカーオーディオ装置を説明するための概略ブロック図であり、図２は、このカーオーディオ装置１０とスピーカ装置２０を用いて構成される４チャンネルカーステレオシステムの構成例を説明するための図である。このカーオーディオ装置１０は、図２に示すように、カーオーディオ装置１０と、フロント左チャンネルスピーカ２０ＦＬ、フロント右チャンネルスピーカ２０ＦＲ、リア左チャンネルスピーカ２０ＲＬ、リア右チャンネルスピーカ２０ＲＲと、からなる４チャネルオーディオシステムに対応したものである。
【００２１】
このカーオーディオ装置１０は、ＣＤドライブ１１０と、第１の音声信号入力切り替え部１２１と、第２の音声信号入力切り替え部１２２と、第３の音声信号入力切り替え部１２３と、リアチャンネル音声信号用内蔵アンプ１３１と、フロントチャンネル音声信号用内蔵アンプ１３２と、内蔵アンプ制御部１４０と、チャンネル情報設定部１５０と、チャンネル情報検出部１６０と、操作部１７０と、表示部１８０と、システムコントロール部１９０と、を備えて構成されている。
【００２２】
ＣＤドライブ１１０は、たとえば図示しないＣＤ（Compact Disc）を装着する装着部、ＣＤを回転駆動させるスピンドルモータ、ＣＤにレーザビームを照射してＣＤからの反射光を受光することによりＣＤに記録されているデータを読み出す光ピックアップ部、光ピックアップ部をＣＤの半径方向に移動させるためのスレッドモータなどを備えて構成され、ＣＤに記録された音声信号を電子信号として取得する。
【００２３】
第１の音声信号入力切り替え部１２１は、ＣＤドライブ１１０で取得した音声信号を、後段のリアチャンネル音声信号用内蔵アンプ１３１、若しくは第２の音声信号入力切り替え部１２２のいずれかに入力するか、またはいずれにも入力しないかの、音声信号経路の切り替えを行う。第２の音声信号入力切り替え部１２２は、第１の音声信号入力切り替え部１２１を通過した音声信号またはリアチャンネル音声信号用内蔵アンプ１３１を通過した音声信号を、フロントチャンネル音声信号用内蔵アンプ１３２または第３の音声信号入力切り替え部１２３のいずれに入力するかの、音声信号経路の切り替えを行う。
【００２４】
第３の音声信号入力切り替え部１２３は、第２の音声信号入力切り替え部１２２を通過した音声信号、またはフロントチャンネル音声信号用内蔵アンプ１３２を通過した音声信号を、リアチャンネルスピーカ（リア左チャンネルスピーカ２０ＲＬ、若しくはリア右チャンネルスピーカ２０ＲＲ）、またはフロントチャンネルスピーカ（フロント左チャンネルスピーカ２０ＦＬ、若しくはフロント右チャンネルスピーカ２０ＦＲ）のいずれに入力するかの、音声信号経路の切り替えを行う。これらの第１の音声信号入力切り替え部１２１、第２の音声信号入力切り替え部１２２、および第３の音声信号入力切り替え部１２３は、電気回路により構成することができる。
【００２５】
リアチャンネル音声信号用内蔵アンプ１３１は、後述するようにこのカーステレオシステムを４チャンネルシステムとして用いる場合にはリアチャンネル用音声信号の増幅を行う。また、リアチャンネル音声信号用内蔵アンプ１３１は、後述するようにこのカーステレオシステムをフロントチャンネルのみを使用する２チャンネルシステムとして用いる場合にはフロントチャンネル用音声信号の増幅を行う。また、このカーステレオシステムをリアチャンネルのみを使用する２チャンネルシステムとして用いる場合にはリアチャンネル用音声信号の増幅を行う。
【００２６】
また、リアチャンネル音声信号用内蔵アンプ１３１は、リア左チャンネル音声信号用内蔵アンプ１３１ＲＬ（以下、ＲＬｃｈ用アンプ１３１ＲＬと称する）と、リア右チャンネル音声信号用内蔵アンプ１３１ＲＲ（以下、ＲＲｃｈ用アンプ１３１ＲＲと称する）と、からなる。これらの内蔵アンプはたとえば各々１個のＩＣチップに収められて構成されている。
【００２７】
ＲＬｃｈ用アンプ１３１ＲＬは、このカーステレオシステムを４チャンネルシステムとして用いる場合にはリア左チャンネル用音声信号の増幅を行う。また、ＲＬｃｈ用アンプ１３１ＲＬは、このカーステレオシステムをフロントチャンネルのみを使用する２チャンネルシステムとして用いる場合にはフロント左チャンネル用音声信号の増幅を行う。そして、このカーステレオシステムをリアチャンネルのみを使用する２チャンネルシステムとして用いる場合にはリア左チャンネル用音声信号の増幅を行う。
【００２８】
一方、ＲＲｃｈ用アンプ１３１ＲＲは、このカーステレオシステムを４チャンネルシステムとして用いる場合にはリア右チャンネル用音声信号（ＲＲｃｈ音声信号）の増幅を行う。また、ＲＲｃｈ用アンプ１３１ＲＲは、このカーステレオシステムをフロントチャンネルのみを使用する２チャンネルシステムとして用いる場合にはフロント右チャンネル用音声信号（ＦＲｃｈ音声信号）の増幅を行う。そして、このカーステレオシステムをリアチャンネルのみを使用する２チャンネルシステムとして用いる場合にはリア右チャンネル用音声信号（ＲＲｃｈ音声信号）の増幅を行う。
【００２９】
フロントチャンネル音声信号用内蔵アンプ１３２は、後述するようにこのカーステレオシステムを４チャンネルシステムとして用いる場合にはフロントチャンネル用音声信号の増幅を行う。また、フロントチャンネル音声信号用内蔵アンプ１３２は、後述するようにこのカーステレオシステムをフロントチャンネルのみを使用する２チャンネルシステムとして用いる場合にはフロントチャンネル用音声信号の増幅を行う。また、このカーステレオシステムをリアチャンネルのみを使用する２チャンネルシステムとして用いる場合にはリアチャンネル用音声信号の増幅を行う。
【００３０】
また、フロントチャンネル音声信号用内蔵アンプ１３２は、フロント左チャンネル音声信号用内蔵アンプ１３２ＦＬ（以下、ＦＬｃｈ用アンプ１３２ＦＬと称する）と、フロント右チャンネル音声信号用内蔵アンプ１３２ＦＲ（以下、ＦＲｃｈ用アンプ１３２ＦＲと称する）と、からなる。これらの内蔵アンプはたとえば各々１個のＩＣチップに収められて構成されている。
【００３１】
ＦＬｃｈ用アンプ１３２ＦＬは、このカーステレオシステムを４チャンネルシステムとして用いる場合にはフロント左チャンネル用音声信号（ＦＬｃｈ音声信号）の増幅を行う。また、ＦＬｃｈ用アンプ１３２ＦＬは、このカーステレオシステムをフロントチャンネルのみを使用する２チャンネルシステムとして用いる場合にはフロント左チャンネル用音声信号（ＦＬｃｈ音声信号）の増幅を行う。そして、このカーステレオシステムをリアチャンネルのみを使用する２チャンネルシステムとして用いる場合にはリア左チャンネル用音声信号（ＲＬｃｈ音声信号）の増幅を行う。
【００３２】
一方、ＦＲｃｈ用アンプ１３２ＦＲは、このカーステレオシステムを４チャンネルシステムとして用いる場合にはフロント右チャンネル用音声信号（ＦＲｃｈ音声信号）の増幅を行う。また、ＦＲｃｈ用アンプ１３２ＦＲは、このカーステレオシステムをフロントチャンネルのみを使用する２チャンネルシステムとして用いる場合にはフロント右チャンネル用音声信号（ＦＲｃｈ音声信号）の増幅を行う。そして、このカーステレオシステムをリアチャンネルのみを使用する２チャンネルシステムとして用いる場合にはリア右チャンネル用音声信号（ＲＲｃｈ音声信号）の増幅を行う。
【００３３】
内蔵アンプ制御部１４０は、リアチャンネル音声信号用内蔵アンプ１３１と、フロントチャンネル音声信号用内蔵アンプ１３２と、における音声信号の増幅率を制御する。内蔵アンプ制御部１４０がこの増幅率を制御する場合には、予め設定された所定の増幅率を用いてもよく、また、実際に音声の出力を行った際に音質などのフィードバックを行って増幅率を変更しても良い。
【００３４】
また、内蔵アンプ制御部１４０は、第１の音声信号入力切り替え部１２１と、第２の音声信号入力切り替え部１２２と、第３の音声信号入力切り替え部１２３と、における上述した音声信号経路の切り替えを制御する。音声信号経路の切り替えの制御は、後述するチャンネル情報設定部１５０に設定された、音声信号を再生するチャンネル数を設定したチャンネル数情報に基づいて行われる。この場合、内蔵アンプ制御部１４０がチャンネル情報検出部１６０にチャンネル数情報を取りに行く形態としても良く、またチャンネル情報設定部１５０にチャンネル数情報が設定された際にチャンネル情報設定部１５０が内蔵アンプ制御部１４０に該チャンネル数情報を送信する形態とすることもできる。
【００３５】
また、音声信号経路の切り替えの制御は、後述するチャンネル情報検出部１６０において検出した、音声信号が記録された記録媒体に予め設定されたチャンネル数情報に基づいて行うこともできる。この場合、内蔵アンプ制御部１４０がチャンネル情報検出部１６０にチャンネル数情報を取りに行く形態としても良く、またチャンネル情報検出部１６０がチャンネル数情報を記録媒体から検出した際にチャンネル情報検出部１６０が内蔵アンプ制御部１４０に該チャンネル数情報を送信する形態とすることもできる。
【００３６】
なお、ここでは、内蔵アンプ制御部１４０が音声信号経路の切り替えの制御を兼ねている場合を示しているが、音声信号経路の切り替えの制御を行う制御手段を別に設けても良い。
【００３７】
チャンネル情報設定部１５０は、使用者が入力する設定情報によりチャンネル数情報を設定して保持するチャンネル数情報設定手段である。チャンネル情報検出部１６０は、音声信号が記録された記録媒体に予め設定、保持されたチャンネル数情報を自動で検出し、保持するチャンネル数検出手段である。
【００３８】
操作部１７０は、ＣＤドライブ１１０の駆動操作やチャンネル情報設定部１５０に対するチャンネル情報の設定など、使用者からの指示入力を行う手段である。表示部１８０は、たとえばＬＣＤ（液晶ディスプレイ）などにより構成される表示部であり、使用者に通知する必要がある情報を表示して使用者に通知するためのものである。システムコントロール部１９０は、たとえばＣＰＵ、ＲＯＭ、ＲＡＭ、などを備えたマイクロコンピュータであり、上記の各処理部の全体の動作を制御する。
【００３９】
つぎに、上記のように構成された本実施例にかかるカーオーディオ装置１０の動作について図１、図３〜図５を用いて説明する。図１、図４および図５において、太線で示した経路が最終的にスピーカ２０において再生されるチャンネルの音声信号経路である。まず、ユーザがＣＤをカーオーディオ装置１０の外面に設けられたＣＤ挿入部（図示せず）に挿入し、ＣＤドライブ１１０内の装着部に装着する。つぎに、ユーザは、挿入したＣＤの音声信号を再生するチャンネル数を示すチャンネル数情報の入力を操作部１７０を用いて行う。ユーザがＣＤの音声信号を４チャンネルで再生したい場合には、ユーザは４チャンネル用のチャンネル数情報の入力を行う。また、ユーザがＣＤの音声信号をフロントチャンネルのみの２チャンネルで再生したい場合には、ユーザは２チャンネル（フロント）用のチャンネル数情報の入力を行う。また、たとえばユーザがＣＤの音声信号をリアチャンネルのみの２チャンネルで再生したい場合には、ユーザは２チャンネル（リア）用のチャンネル数情報の入力を行う。
【００４０】
ユーザが入力したチャンネル数は、チャンネル情報設定部１５０において設定され、保持される。また、チャンネル情報設定部１５０において設定され、保持されたチャンネル数が表示部１８０に表示され、現在の設定がユーザに通知される。そして、ユーザが操作部１７０を用いてＣＤの再生指示を入力すると、システムコントロール部１９０の制御によりＣＤドライブが駆動し、ＣＤに記録された音声信号を電子信号として取得する（ステップＳ１０１）。
【００４１】
また、ＣＤの再生指示を入力されると、システムコントロール部１９０の制御により内蔵アンプ制御部１４０はチャンネル情報設定部１５０に設定されたチャンネル数情報を読み出す。そして、内蔵アンプ制御部１４０は、読み出したチャンネル数情報に基づいてＣＤの音声信号を再生するチャンネル数を判断する。ここでは、内蔵アンプ制御部１４０は、ＣＤの音声信号を再生するチャンネル数を４チャンネルで再生するか否かを、読み出したチャンネル数情報に基づいて判断する（ステップＳ１０２）。
【００４２】
ここで、ＣＤの音声信号を４チャンネルで再生する場合は（ステップＳ１０２肯定）、内蔵アンプ制御部１４０は、ＣＤの音声信号を４チャンネルで再生するように第１の音声信号入力切り替え部１２１、第２の音声信号入力切り替え部１２２、および第３の音声信号入力切り替え部１２３を設定し、該第１の音声信号入力切り替え部１２１、第２の音声信号入力切り替え部１２２、および第３の音声信号入力切り替え部１２３は４チャンネル再生用に音声信号経路の切り替えを行う（ステップＳ１０３）。
【００４３】
つぎに、ＣＤドライブ１１０において取得された音声信号は、ＦＬｃｈ音声信号、ＲＬｃｈ音声信号、ＦＲｃｈ音声信号およびＲＲｃｈ音声信号の４チャンネルに分けてＣＤドライブ１１０から出力される。そして、ＣＤドライブ１１０から出力された各チャンネル音声信号は、専用の内蔵アンプにより増幅され（ステップＳ１０４）、それぞれのチャンネルに対応したスピーカ２０に出力される（ステップＳ１０５）。
【００４４】
ＣＤドライブ１１０から出力されたＦＬｃｈ音声信号は、第１の音声信号入力切り替え部１２１および第２の音声信号入力切り替え部１２２を経由して、ＦＬｃｈ用アンプ１３２ＦＬに入力される。そして、ＦＬｃｈ用アンプ１３２ＦＬに入力されたＦＬｃｈ音声信号は、所定の増幅率で増幅され、第３の音声信号入力切り替え部１２３を経由してフロント左チャンネルスピーカ２０ＦＬに出力される。
【００４５】
また、ＣＤドライブ１１０から出力されたＲＬｃｈ音声信号は、第１の音声信号入力切り替え部１２１を経由して、ＲＬｃｈ用アンプ１３１ＲＬに入力される。そして、ＲＬｃｈ用アンプ１３１ＲＬに入力されたＲＬｃｈ音声信号は、所定の増幅率で増幅され、第２の音声信号入力切り替え部１２２および第３の音声信号入力切り替え部１２３を経由してリア左チャンネルスピーカ２０ＲＬに出力される。
【００４６】
また、ＣＤドライブ１１０から出力されたＦＲｃｈ音声信号は、第１の音声信号入力切り替え部１２１および第２の音声信号入力切り替え部１２２を経由して、ＦＲｃｈ用アンプ１３２ＦＲに入力される。そして、ＦＲｃｈ用アンプ１３２ＦＲに入力されたＦＲｃｈ音声信号は、所定の増幅率で増幅され、第３の音声信号入力切り替え部１２３を経由してフロント右チャンネルスピーカ２０ＦＲに出力される。
【００４７】
また、ＣＤドライブ１１０から出力されたＲＲｃｈ音声信号は、第１の音声信号入力切り替え部１２１を経由して、ＲＲｃｈ用アンプ１３１ＲＲに入力される。そして、ＲＲｃｈ用アンプ１３１ＲＲに入力されたＲＲｃｈ音声信号は、所定の増幅率で増幅され、第２の音声信号入力切り替え部１２２および第３の音声信号入力切り替え部１２３を経由してリア右チャンネルスピーカ２０ＲＲに出力される。
【００４８】
つぎに、ステップＳ１０２に戻って、ＣＤの音声信号を４チャンネルで再生せず、フロントスピーカのみの２チャンネル（フロント）で再生する場合（ステップＳ１０２否定、図４参照）について説明する。この場合には、内蔵アンプ制御部１４０は、ＣＤの音声信号をフロントスピーカのみの２チャンネルで再生するように第１の音声信号入力切り替え部１２１、第２の音声信号入力切り替え部１２２、および第３の音声信号入力切り替え部１２３を設定し、該第１の音声信号入力切り替え部１２１、第２の音声信号入力切り替え部１２２、および第３の音声信号入力切り替え部１２３はフロントスピーカのみの２チャンネル再生用に音声信号経路の切り替えを行う（ステップＳ１０６）。また、内蔵アンプ制御部１４０は、リアチャンネル音声信号用内蔵アンプ１３１およびフロントチャンネル音声信号用内蔵アンプ１３２における音声信号の増幅率を所定の増幅率に変更する。
【００４９】
つぎに、ＣＤドライブ１１０において取得された音声信号は、ＦＬｃｈ音声信号、ＲＬｃｈ音声信号、ＦＲｃｈ音声信号およびＲＲｃｈ音声信号の４チャンネルに分けてＣＤドライブ１１０から出力される。そして、ＣＤドライブ１１０から出力された各チャンネル音声信号は、フロントチャンネル用の音声信号だけをリアチャンネル音声信号用内蔵アンプ１３１で所定の増幅率で増幅する（ステップＳ１０７）。さらに、リアチャンネル音声信号用内蔵アンプ１３１で増幅したフロントチャンネル用の音声信号は、フロントチャンネル音声信号用内蔵アンプ１３２で所定の増幅率で増幅され（ステップＳ１０８）、それぞれのチャンネルに対応したスピーカ２０に出力される（ステップＳ１０９）。
【００５０】
具体的には、図４に示すようにＣＤドライブ１１０から出力されたＦＬｃｈ音声信号は、第１の音声信号入力切り替え部１２１を経由して、ＲＬｃｈ用アンプ１３１ＲＬに入力される。そして、ＲＬｃｈ用アンプ１３１ＲＬに入力されたＦＬｃｈ音声信号は、所定の増幅率で増幅され、第２の音声信号入力切り替え部１２２を経由して、ＦＬｃｈ用アンプ１３２ＦＬに入力される。そして、ＦＬｃｈ用アンプ１３２ＦＬに入力されたＦＬｃｈ音声信号は、所定の増幅率で増幅され、第３の音声信号入力切り替え部１２３を経由してフロント左チャンネルスピーカ２０ＦＬに出力される。
【００５１】
また、ＣＤドライブ１１０から出力されたＲＬｃｈ音声信号は、第１の音声信号入力切り替え部１２１における音声信号経路の切り替えにより、出力経路が断たれるため第１の音声信号入力切り替え部１２１から後段へは出力されない。
【００５２】
また、ＣＤドライブ１１０から出力されたＦＲｃｈ音声信号は、第１の音声信号入力切り替え部１２１を経由して、ＲＲｃｈ用アンプ１３１ＲＲに入力される。そして、ＲＲｃｈ用アンプ１３１ＲＲに入力されたＦＲｃｈ音声信号は、所定の増幅率で増幅され、第２の音声信号入力切り替え部１２２を経由して、ＦＲｃｈ用アンプ１３２ＦＲに入力される。そして、ＦＲｃｈ用アンプ１３２ＦＲに入力されたＦＲｃｈ音声信号は、所定の増幅率で増幅され、第３の音声信号入力切り替え部１２３を経由してフロント右チャンネルスピーカ２０ＦＲに出力される。
【００５３】
また、ＣＤドライブ１１０から出力されたＲＲｃｈ音声信号は、第１の音声信号入力切り替え部１２１における音声信号経路の切り替えにより、出力経路が断たれるため第１の音声信号入力切り替え部１２１から後段へは出力されない。
【００５４】
また、ＣＤの音声信号を４チャンネルで再生せず、リアスピーカのみの２チャンネル（フロント）で再生する場合の音声信号経路は図５のようになる。この場合は、ＲＬｃｈ音声信号とＲＲｃｈ音声信号とが、リアチャンネル音声信号用内蔵アンプ１３１とフロントチャンネル音声信号用内蔵アンプ１３２との２段階で増幅され、それぞれリア左チャンネルスピーカ２０ＲＬおよびリア右チャンネルスピーカ２０ＲＲに出力される。
【００５５】
一方、ＦＬｃｈ音声信号とＦＲｃｈ音声信号とは第１の音声信号入力切り替え部１２１における音声信号経路の切り替えにより、出力経路が断たれるため第１の音声信号入力切り替え部１２１から後段へは出力されない。
【００５６】
また、このカーオーディオ装置１０においては、再生ソースから２チャンネルまたは４チャンネルのどちらを選択するかを自動で判断し、切り替えることが可能である。この場合には、チャンネル情報検出部１６０が、ＣＤに予め設定、保持されたチャンネル数情報を自動で検出し、保持する。そして、チャンネル情報検出部１６０は保持したチャンネル数情報を内蔵アンプ制御部１４０に自動送信する。内蔵アンプ制御部１４０では、このチャンネル数情報に基づいて上記と同様にして音声信号経路の切り替えを行う。これにより、再生ソースに合わせてユーザがその都度チャンネル設定を行わずに、ＣＤの設定に沿った音声再生が可能となり、操作の簡略化が図れる。
【００５７】
なお、このチャンネル情報検出部１６０の機能を有効にした場合には、該チャンネル情報検出部１６０で検出したチャンネル数情報、またはユーザが設定したチャンネル数情報のいずれを優先するかを選択することができる。
【００５８】
以上のようなカーステレオシステムにおいては、リアチャンネル音声信号用内蔵アンプ１３１の用途を切り替えることが可能とされているため、音声信号の出力チャンネル数を４チャンネルと２チャンネルとから選択することができるため、ユーザの好みに合わせたチャンネル数で音声を聞くことができる。すなわち、４チャンネルを選択した場合には、リアチャンネル音声信号用内蔵アンプ１３１は従来と同様にリアチャンネル音声信号を増幅する。一方、２チャンネルを選択した場合には、リアチャンネル音声信号用内蔵アンプ１３１はフロントチャンネル音声信号を増幅する。
【００５９】
この場合、フロントチャンネル音声信号は、リアチャンネル音声信号用内蔵アンプ１３１とフロントチャンネル音声信号用内蔵アンプ１３２との２つの内蔵アンプにより２段階の処理で増幅される。また、リアチャンネル音声信号用内蔵アンプ１３１とフロントチャンネル音声信号用内蔵アンプ１３２との増幅率は、任意に変更可能とされている。したがって、リアチャンネル音声信号用内蔵アンプ１３１とフロントチャンネル音声信号用内蔵アンプ１３２とは、それぞれ４チャンネルを選択した場合よりも低い増幅率でフロントチャンネル音声信号を増幅することとなり、各内蔵アンプの負荷を低減することができる。
【００６０】
そして、内蔵アンプの負荷を低減することにより、該内蔵アンプからの発熱量を低減することができる。内蔵アンプからの発熱量が多い場合には、増幅率にゆがみが生じ、音質なひずみの発生や各内蔵アンプに於ける出力のばらつきの原因となる。しかしながら、このカーステレオシステムにおいては、内蔵アンプからの発熱量を低減することができるため、高音質で音声を聴くことが可能とされている。
【００６１】
また、内蔵アンプからの発熱量が多い場合には、内蔵アンプが搭載されたＩＣチップの誤作動や該ＩＣチップ長期的な耐久性に問題が生じる虞がある。しかしながら、このカーステレオシステムにおいては、内蔵アンプからの発熱量を低減することができるため、このような問題の発生を効果的に防止することができ、高品質のカーオーディオシステムが実現されている。
【００６２】
また、フロントチャンネル音声信号を、リアチャンネル音声信号用内蔵アンプ１３１とフロントチャンネル音声信号用内蔵アンプ１３２との２つの内蔵アンプを用いて増幅することができるため、高出力化（増幅率アップ）という効果も得られる。以上説明したように本実施例にかかるカーステレオシステムにおいては、音声再生のチャンネル数が変更可能であり、良好な音質で音声再生を行うことが可能とされる。
【００６３】
なお、２チャンネルを選択した場合のリアチャンネル音声信号用内蔵アンプ１３１とフロントチャンネル音声信号用内蔵アンプ１３２との増幅率は、たとえば増幅特性の良い所定の値に予め設定され、たとえばシステムコントロール部１９０内の記憶部やその他の記憶部に記憶された増幅率に設定可能である。また、その他にも、実際に増幅した後の音声信号の出力を検出して、これを基に各内蔵アンプの増幅率にフィードバックをかけることも可能である。
【００６４】
なお、上記においては、４チャンネルのカーオーディオシステムを例に説明したが、本発明はこれに限定されるものではなく、４チャンネルよりも多いチャンネル数の場合にも適用可能であり、また、カーオーディオシステム以外の音声再生システムに広く適用可能である。
【図面の簡単な説明】
【００６５】
【図１】本発明にかかる音声信号再生装置を用いた実施例にかかるカーオーディオ装置の構成を説明するためのブロック図である。
【図２】カーオーディオ装置とスピーカ装置を用いて構成される４チャンネルカーステレオシステムの構成例を説明するための図である。
【図３】カーオーディオ装置の処理を説明するフローチャートである。
【図４】４チャンネルカーステレオシステムにおいてフロントチャンネルのみの２チャンネルでの音声出力を行う場合の音声信号経路を説明する図である。
【図５】４チャンネルカーステレオシステムにおいてリアチャンネルのみの２チャンネルでの音声出力を行う場合の音声信号経路を説明する図である。
【符号の説明】
【００６６】
１０  カーオーディオ装置
２０  スピーカ装置
２０ＦＲ  フロント右チャンネルスピーカ
２０ＦＬ  フロント左チャンネルスピーカ
２０ＲＲ  リア右チャンネルスピーカ
２０ＲＬ  リア左チャンネルスピーカ
１１０  ＣＤドライブ
１２１  第１の音声信号入力切り替え部
１２２  第２の音声信号入力切り替え部
１２３  第３の音声信号入力切り替え部
１３１  リアチャンネル音声信号用内蔵アンプ
１３１ＲＲ  リア右チャンネル音声信号用内蔵アンプ
１３１ＲＬ  リア左チャンネル音声信号用内蔵アンプ
１３２  フロントチャンネル音声信号用内蔵アンプ
１３２ＦＲ  フロント右チャンネル音声信号用内蔵アンプ
１３２ＦＬ  フロント左チャンネル音声信号用内蔵アンプ
１４０  内蔵アンプ制御部
１５０  チャンネル情報設定部
１６０  チャンネル情報検出部
１７０  操作部
１８０  表示部
１９０  システムコントロール部
【図１】
2006209890.tif 000003
【図２】
2006209890.tif 000004
【図３】
2006209890.tif 000005
【図４】
2006209890.tif 000006
【図５】
2006209890.tif 000007